(57)【要約】【課題】  トレイ形包装用箱の底パネル１を介してパッケージ容器１５の底部に加わる外力を緩和し、パッケージ容器１５に収納しした生鮮果実等が傷みにくくする。さらに生鮮果実のパッケージ容器を安定且つ確実に支持する。【解決手段】  トレイ形包装用箱は、底パネル１の対向する２辺から箱体の側壁を形成するパネルを起立させ、底パネル１の対向する他の２辺から箱体の端壁を形成するパネルを起立させ、隣接するこれら側壁のパネルと端壁のパネルとを互いに固定して上面を開口した箱体を形成したものである。箱体の内側壁の一部をパック支持パネル１１、１１として箱体の内側に張り出させ、このパック支持パネル１１、１１で箱体に収納するパッケージ容器１５を支持する。パック支持パネル１１、１１に連なる箱体の内側壁の一部を箱体の底パネル１から起立して前記パック支持パネル１１、１１を支持する補助フラップ２１、２１として箱体の側部に設ける。【選択図】      図２
2005298027.tif 000002
【特許請求の範囲】
【請求項１】
底パネル（１）の対向する２辺から箱体の側壁を形成するパネルを起立させ、底パネル（１）の対向する他の２辺から箱体の端壁を形成するパネルを起立させ、隣接するこれら側壁のパネルと端壁のパネルとを互いに固定して上面を開口した箱体を形成したトレイ形包装用箱において、箱体の内側壁の一部を、箱体に収納するパッケージ容器（１５）を支持するパック支持パネル（１１）として箱体の内側に張り出させ、このパック支持パネル（１１）に連なる箱体の内側壁の一部を箱体の底パネル（１）から起立して前記パック支持パネル（１１）を支持する補助フラップ（２１）として箱体の側部に設けたことを特徴とするトレイ形包装用箱。
【請求項２】
補助フラップ（２１）がパック支持パネル（１１）のほぼ中央部に連なっていることを特徴とする請求項１に記載のトレイ形包装用箱。
【請求項３】
補助フラップ（２１）が箱体の側壁の一部を開放する通気窓（２０）を切り出したフラップからなることを特徴とする請求項１または２に記載のトレイ形包装用箱。
【発明の詳細な説明】
【技術分野】
【０００１】
本発明は、底パネルの対向する２辺から箱体の側壁を形成するパネルを起立させ、底パネルの対向する他の２辺から箱体の端壁を形成するパネルを起立させ、隣接する側壁のパネルと端壁のパネルとを互いに連結して上面を開口する箱体を形成したトレイ形包装用箱に関し、特に箱体内部に果物等を収納するトレイ状のパッケージ容器を収納するトレイ形包装用箱に関する。
【背景技術】
【０００２】
例えば、イチゴ等の生鮮果実を収納したパッケージ容器を収納して出荷する箱体として前述のようなトレイ形包装用箱が多く使用されている。
このトレイ形包装用箱は、矩形の底パネルの対向する２辺から側パネルを起立させ、底パネルの対向する他の２辺から端パネルを起立させる。そして例えば、側パネルの両側に延設した連結フラップを端パネルの内側で互いに連結し、二重にした端パネルの間に挟み込むか、或いは連結フラップを端パネルに連結することにより、隣接する側パネルと端パネルとを互いに連結したものである。
【０００３】
このようなトレイ形包装用箱は、長さや幅の寸法に比べて比較的浅く、仕切により４つに区画し、それぞれの区画にイチゴのパッケージ容器を収納する。そのために、対向する側パネルの間と対向する端パネルの間にそれぞれ仕切パネルを渡し、これら仕切パネルを中央で互いに差し込んで直交状に交差させている。イチゴのパッケージ容器は、ポリエチレンテレフタレート等からなる薄い透明な樹脂製の容器で、平面長方形であり、側面及び端面が逆台形であり、開口部周囲に一体にフランジが延設されている。
【０００４】
このようなトレイ形包装用箱は、イチゴ等の生鮮果実の生産農家が収穫した生鮮果実を出荷するときにブランクから組み立て、その中に出荷する生鮮果実を収納したパッケージ容器を詰めてその生鮮果実を出荷する。そして、市場での競り売り等を経て、小売店の店頭に並べられる。小売店の店頭では、パッケージ容器を一単位として生鮮果実が小売りされる。
【０００５】
イチゴのこのような流通過程において、生鮮果実の傷みを防止し、鮮度を保持するためには、荷物の取扱中にトレイ形包装用箱に収納梱包された生鮮果実に外力が及ばないようにしなければならない。特に、露地もののイチゴが出荷される時期の前に出荷されるハウスもののイチゴは、青果市場で高価に取り引きされることから、その分だけイチゴの傷みに対して取引価格が大きく左右される。このため、イチゴの出荷に際しては流通過程における傷みを極力防止する必要性がある。イチゴの傷みを防止し、鮮度を保持するための対策として、特に初期の露地ものの出荷に当たっては、出荷前にイチゴを予冷する等の手段がとられている。
【０００６】
しかしながら、従来のトレイ形包装用箱は、イチゴを収納したパッケージ容器をトレイ形包装用容器の内部に仕切られた各区画に収納しているため、パッケージ容器は底パネルに接した状態で収納される。このため、パッケージ容器に収納された生鮮果実は、トレイ形包装用容器の底パネルの外部から加わる外力を底パネルを介して受けることになる。これにより、流通過程で特にパッケージ容器の底部付近の生鮮果実が傷みやすい。
【特許文献１】特開２００２−３０２１１８号公報
【発明の開示】
【発明が解決しようとする課題】
【０００７】
本発明は、パッケージ容器に生鮮果実を収納した状態で梱包、出荷するための前述のような従来のトレイ形包装用箱の課題に鑑み、その第一の目的は、トレイ形包装用箱の底パネルを介してパッケージ容器の底部に加わる外力を緩和できるようにし、これにより、パッケージ容器に収納し、さらにトレイ形包装用箱に収納した生鮮果実等が傷みにくくすることである。さらにその第二の目的は、トレイ形包装用箱に収納した生鮮果実のパッケージ容器を安定且つ確実に支持出来るようにすることである。
【課題を解決するための手段】
【０００８】
本発明では、前記の目的を達成するため、パッケージ容器１５の側壁部に、イチゴ等の生鮮果実のパッケージ容器１５のフランジ１７を支持するパック支持パネル１１、１１を設け、パッケージ容器１５を前記フランジ１７のみで支持し、その底面が箱体の底パネル１に当たらないようにした。これにより、パッケージ容器１５の底面からその中に収納した生鮮果実等の収納物に外力が及ばないようにした。
【０００９】
加えて、パック支持パネル１１、１１がパッケージ容器１５の重みで撓まないように、このパック支持パネル１１、１１を支持する補助フラップ２１、２１を箱体の側壁と一体に設け、このパック支持パネル１１、１１が補助フラップ２１、２１で底パネル１に安定して確実に支持出来るようにした。
【００１０】
すなわち、本発明が適用されるトレイ形包装用箱は、底パネル１の対向する２辺から箱体の側壁を形成するパネルを起立させ、底パネル１の対向する他の２辺から箱体の端壁を形成するパネルを起立させ、隣接するこれら側壁のパネルと端壁のパネルとを互いに固定して上面を開口した箱体を形成したものである。
【００１１】
本発明では、このようなトレイ形包装用箱において、箱体の内側壁の一部をパック支持パネル１１、１１として箱体の内側に張り出させ、このパック支持パネル１１、１１で箱体に収納するパッケージ容器１５を支持するようにしている。さらに、パック支持パネル１１、１１に連なる箱体の内側壁の一部を箱体の底パネル１から起立して前記パック支持パネル１１、１１を支持する補助フラップ２１、２１として箱体の側部に設けている。
【００１２】
このような本発明によるトレイ形包装用箱では、パッケージ容器１５を箱体内部に収納したとき、パッケージ容器１５の周囲に延設したフランジ１７がパック支持パネル１１、１１の上辺部により支持されるため、箱体を介してパッケージ容器１５に加わる外力をそのフランジ１７でも受けることが出来る。これにより、箱体の底パネル１を介してパッケージ容器１５の底面に加わる外力を緩和することが出来る。例えば、パック支持パネル１１、１１は、箱体の内側壁の一部を箱体の内側に張り出させて設けられていることにより、箱体と一体として形成される。
【００１３】
この補助フラップ２１、２１がパック支持パネル１１、１１のほぼ中央部に連なっていると、パッケージ容器１５の荷重が集中しやすい支持パネル１１、１１の中央部が支持されることにより、パッケージ容器１５の荷重がかかったときの支持パネル１１、１１の撓みを確実に防止することが出来る。
【００１４】
このようにな補助フラップ２１、２１は、箱体の側壁の一部を開放する通気窓２０を切り出したフラップを使用して形成することが出来る。これにより、箱体の内外に空気を流通させる通気窓を有効利用してパック支持パネル１１、１１を支持するための補助フラップ２１、２１を設けることが出来る。
【発明の効果】
【００１５】
このように、本発明によるトレイ形包装用箱では、箱体の底パネル１を介してパッケージ容器１５の底面に加わる外力を緩和するか、或いは殆ど無くすことが出来るので、箱体の底パネル１を介してパッケージ容器１５の中に収納した収納物に及ぶ外力を緩和し、或いは無くすことが出来る。このため、生鮮果実等の収納物の傷みや破損を防止することが出来る。
【００１６】
さらに、パック支持パネル１１、１１に連なる箱体の内側壁の一部を箱体の底パネル１から起立して前記パック支持パネル１１、１１を支持する補助フラップ２１、２１としているため、パック支持パネル１１、１１にパッケージ容器１５の荷重が加わったときに、パック支持パネル１１、１１が撓まないように安定して保持することが出来る。これにより、パッケージ容器１５をパック支持パネル１１、１１で安定して確実に支持することが出来るようになる。
【発明を実施するための最良の形態】
【００１７】
本発明では、箱体内部でパッケージ容器１５の周囲のフランジ１７を支持するパック支持パネル１１、１１を箱体の側壁の内側に設け、箱体の底壁からパッケージ容器１５の底面に加わる衝撃を低減するようにした。また、パック支持パネル１１、１１を支持する補助フラップ２１、２１を箱体の側部に設けることにより、パッケージ容器１５をより安定して支持できるようにした。
以下、このような本発明の実施例について、図面を参照しながら具体例を挙げて詳細に説明する。
【実施例１】
【００１８】
図１〜図４は、本発明によるトレイ形包装用箱の実施例を示す図である。図１がトレイ形包装用箱のブランクの展開図であり、図２が箱体の組立途中の状態、図３が箱体の組立が完了した状態の図、図４がその要部の縦断拡大断面図である。
図１に示す包装用箱のブランクは、厚紙により形成され、最も一般的には、波状に折り曲げた紙製の中芯をその両側から紙製のライナーでラミネートした段ボール板により形成される。図１では、ライナーの一部を切欠き、中芯を一部露出して表している。もちろん実際のブランクにはこのようなライナーの切欠部分は無い。同図において、実線は外形線と切断線、破線は折線を表す。
【００１９】
矩形の底パネル１の両側部、すなわち図１において底パネル１の上下両辺となる折線から一対の側外パネル２、２が延設されている。この側外パネル２、２の幅、すなわち図１において左右の寸法は、底パネル１の側辺の長さとほぼ同じである。
この側外パネル２、２の両端、すなわち図１において側外パネル２、２の左右両側の折線から第一の端フラップ９、９が延設されている。この第一の端フラップ９、９の高さ、すなわち図１において上下の寸法は、前記側外パネル２、２の高さと同じである。また、第一の端フラップ９、９の長さは、後述する端外パネル３、３の幅の１／２弱である。
【００２０】
前記の側外パネル２、２の上側部、すなわち側外パネル２、２の図１において側外パネル２、２の上下両側には、破線で示す平行な２本の折線を介して側内パネル８、８が延設されている。この側内パネル８、８は、側外パネル２、２に対し、破線で示す平行な２本の折線に沿って図１において紙面手前側に折り曲げることができる。破線で示す平行な２本の折線の両端に近い位置には、後述する連結フラップ１０、１０の差込フラップ１３、１３を差し込むためのスリット１４、１４が開設されている。
【００２１】
側外パネル２、２と側内パネル８、８との間の折線の中間部に、横にやや長い長円状の補助フラップ２１、２１が切り出される。この補助フラップ２１、２１は、図１において破線で示す側外パネル２、２と側内パネル８、８との間の平行な２本の折線を遮断してその中央部に設けられており、この補助フラップ２１、２１の部分には前記の折線は無い。この補助フラップ２１、２１は、側内パネル８、８の中央部分において直線状の折線を介して同側内パネル８、８と連なっている。この折線から補助フラップ２１、２１を折り曲げて切り起こすことにより、側外パネル２、２と側内パネル８、８とにわたるそれらの中央部分が窓状に開口される。
【００２２】
前記の側内パネル８、８の両側、すなわち側内パネル８、８の図１において左右両側の端辺である折線から第二の端フラップ２２、２２が延設されている。この第二の端フラップ２２、２２は、前記側外パネル２、２の両側の第一の端フラップ９、９と平行に延設されているが、この第一の端フラップ９、９とは分離されている。この第二の端フラップ２２、２２の長さ、すなわち図１において左右方向の寸法は、前記第一の端フラップ９、９より長く、後述する端外パネル３、３の幅の１／２より長い。そしてこの第二の端フラップ２２、２２の先端側には、前記側内パネル８、８との折線と平行に切り込んだスリットが設けられている。第二の端フラップ２２、２２の側外パネル２、２との折線から前記スリットまでの距離は、後述する端パネル３、３の幅の１／２のところにあり、その切込み深さは、第二の端フラップ２２、２２の高さの約１／２である。
【００２３】
側内パネル８、８の下側、つまり側内パネル８、８の図１において上下両側の約２／５程の部分は、パック支持パネル１１、１１となっている。上側の側内パネル８、８とパック支持パネル１１、１１との間は切込線により部分的に切断されていると共に、この切込線の中央及び両側に設けた連結部２３、２３…により、側内パネル８、８とパック支持パネル１１、１１とが部分的に連結されている。この連結部２３、２３…は、前記切込線の延長上の両側に設けた互いに平行な２条の折線の間に形成されている。
【００２４】
矩形の底パネル１の両端部、すなわち図１において底パネル１の両側の折線から、一対の端外パネル３、３が延設されている。この端外パネル３、３の幅、すなわち端外パネル３、３の図１において上下の寸法は、底パネル１の幅とほぼ同じである。また、端外パネル３、３の高さは、前記側外パネル２、２とほぼ等しい。正確には端外パネル３、３の高さは、側外パネル２、２よりブランク１枚分の厚さ程度高い。
【００２５】
この端外パネル３、３の上辺、すなわち端外パネル３、３の図１において左右両側の辺には、２本の平行な折線を介して端内パネル４、４が延設されている。さらにこの端内パネル４、４の両側基部には、連結フラップ１０、１０が切り出されている。この連結フラップ１０、１０の端外パネル３、３と連なる折線は、端外パネル３、３と端内パネル４、４との間の外側となる折線、すなわち底パネル１に近い側の折線と共通している。連結フラップ１０、１０は、この折線の両端部を中心とする９０゜の扇状のものである。
【００２６】
この連結フラップ１０、１０の先端部には、舌片状の差込フラップ１３、１３が延設されており、この差込フラップ１３、１３の連結フラップ１０、１０と連なる基部は図１において縦の折線となっている。この差込フラップ１３、１３は、後述する箱体の組み立て時に前記スリット１４、１４に挿入しやすく、且つ挿入した後は抜け難いように、舌片状の基部にあご状の突起を有している。
【００２７】
図１に示すように、箱体の本体を形成するブランクとは分離して、仕切パネル５と仕切パネル６とが切り出されている。仕切パネル５と仕切パネル６とは、それらを交差させて箱体の内部を仕切る仕切としての要素を有する。すなわち、これら仕切パネル５と仕切パネル６とは交差して組み立てられた状態で箱体の中に配置され、箱体の中を４つの区画に仕切る。図示の例では、一方の仕切パネル６が前記の仕切としての要素の他に、箱体の内部で後述するパッケージ容器１５を支持するパック支持部材を兼ねている。
【００２８】
仕切パネル５の高さは、側外パネル２、２よりやや低い。また、この仕切パネル５の長さは、後述するようにして組み立てた箱体の内部のパック支持パネル１１、１１の間隔とほぼ等しく、箱体の内部のパック支持パネル１１、１１の間に挿入出来る寸法となっている。この仕切パネル５の中央には、前記折線と直交する方向にスリット１８が切り出されている。このスリット１８は、図１において仕切パネル６の左右及び上下方向の中央部にある。図１においてスリット１８の上下方向の長さは、仕切パネル５の図１において上下方向の寸法の約１／２強である。また、このスリット１８の幅は、次に述べる他方の仕切パネル６の連結部２６、２６…の折線の幅より僅かに広い。その両端はＭ字形に切り込まれている。
【００２９】
この仕切パネル５と交差して組み立てられる他方の仕切パネル６は、中央長手方向に切断線２４を有する。この切断線２４の中央と両端に切断線が遮断された連結部２６、２６…が設けられ、仕切パネル６の両側部分がそこで一体に連絡されている。この連結部２６、２６…の両側は平行な２本の折線となっている。この仕切パネル６の下辺中央部には、その高さの半分程度の深さのスリット１２、１２が縦に切り込まれている。スリット１２、１２の幅は、他方の仕切パネル５の折線の幅より僅かに広い。その上端はＭ字形に切り込まれている。
この仕切パネル６は、図２により後述するようにして連結部２６、２６…の折線で端面が横コ字形になるよう折り曲げられるが、そのとき連結部２６、２６…の間の切断線２４の部分が上辺部として起立し、その上辺部が連結部２６、２６…より一段高くなる。
【００３０】
このようなブランクからトレイ形包装用箱を組み立てる手順について次に説明する。
まず、図１に示すブランクにおいて、側外パネル２、２の両側の折線から第一の端フラップ９、９を何れも内側、すなわち図１において紙面の手前側に９０゜折り曲げる。さらに側外パネル２、２を底パネル１との折線から図１において紙面の手前側にほぼ９０゜折り曲げ、箱体の側面側に立てる。このとき側外パネル２、２の両側で折り曲げた前記第一の端フラップ９、９は、箱体の端面側に起立する。
【００３１】
次に、側外パネル２、２と側内パネル８、８の中央で補助フラップ２１、２１をその折線１９、１９で図１において紙面の手前側に約１８０゜折り曲げ、補助フラップ２１、２１を側内パネル８、８の内面に添える。この状態では、補助フラップ２１、２１を切り起こした部分に長円状の窓が開く。
【００３２】
この状態から側外パネル２、２に対して側内パネル８、８をその２条の折線で順次９０゜ずつ図１において手前側に折り曲げる。これにより側内パネル８、８は、２条の折線の分だけ間隔をおいて箱体の側面側において側外パネル２、２の内側に折り曲げられる。
さらに、側内パネル８、８の両側の折線から第二の端フラップ２２、２２を図１において奥側にほぼ９０゜折り曲げる。これにより、第二の端フラップ２２、２２は箱体の端部側で第一の端フラップ９、９の内側に配置される。この状態で、両側の第二の端フラップ２２、２２は、図２において手前側の第二の端フラップ２２、２２のように、それらの先端が重なり合うので、そられ第二の端フラップ２２、２２の先端側に設けたスリットを互いに差し込み合、それら第二の端フラップ２２、２２の先端を互いに連結する。
【００３３】
側内パネル８、８に対し、パック支持パネル１１、１１をその連結部２３、２３…の２本の折線で図１において紙面の奥側、図２において手前側に順次ほぼ９０゜ずつ折り曲げる。これにより、図２に示すように、図２に示すように、パック支持フラップ１１、１１が箱体の内側で側内パネル８、８の内側で起立すると共に、連結部２３、２３…の間隔だけ側内パネル２、２から離れて平行に配置される。
【００３４】
またこの状態では、補助フラップ２１、２１が側内パネル８、８と側外パネル２、２の間に挟まれた状態で下方に向き、その下縁が底パネル１の上に当接する。そして側外パネル２、２と側内パネル８、８の上縁部分の前記補助フラップ２１、２１が切り出された部分が上に開いた切欠き状の通気窓２０、２０となって開く。この通気窓２０、２０は、箱体の内外に空気を流通させるための窓である。
【００３５】
次に、端外パネル３、３を底パネル１との折線から図１において手前に９０゜折り曲げ、端外パネル３、３を底パネル１から起こして第一の端フラップ９、９の外側に添える。さらに、端内パネル４、４を、端外パネル３、３との境界である２本の折線で９０゜ずつ箱体の内側に折り曲げ、端内パネル４、４を前記第一の端フラップ９、９の内側に添える。これにより、第一の端フラップ９、９と第二の端フラップ２２、２２が端外パネル３、３と端内パネル４、４との間に挟持される。
【００３６】
図２は箱体を組み立てる途中の状態であり、奥側の端外パネル３と端内パネル４を折り曲げて箱体の端部を構成した状態を示している。手前側の端外パネル３と端内パネル４及は、組み立てる手順が分かりやすいように展開したままの状態で示している。そのため、その端部側の第一の端フラップ９、９が見え、その奥に第二の端フラップ２２、２２の先端側が見える。この第二の端フラップ２２、２２の先端側は、それらのスリットを互いに差し込むことで連結されている。もちろん最終的には、これら手前側の端外パネル３と端内パネル４も、前述したように折り曲げて箱体の端壁を組み立てる。
【００３７】
次に、仕切となる仕切パネル５と仕切パネル６を用意する。
図２に示すように、まず、仕切パネル６をその連結部２６の平行な２本の折線で９０゜ずつ折り曲げ、連結部２６を上側にして端面を横コ字形とする。この状態では、仕切パネル６の連結部２６の間の切断線２４、２４が連結部２６より高く起立した上辺部となる。また、仕切パネル５もその平行な２本の折線で９０゜ずつ折り曲げ、折線側を上にして端面を横コ字形とする。
【００３８】
次に、仕切パネル５の中央のスリット１８に仕切パネル６のスリット１２を差し込みながら、仕切パネル５と仕切パネル６とを直交状に交差させて組み立てる。こうして組み立てた仕切パネル５と仕切パネル６を、それぞれ組み立てた箱体の幅方向と長手方向に向けて、その中に挿入する。この状態で箱体の内部は、仕切パネル５と仕切パネル６とにより平面上４つの部分に区画される。
【００３９】
この箱体の内部の仕切パネル５と仕切パネル６とにより区画された４つの部分には、図２に示すようなトレイ状のパッケージ容器１５を収納する。このパッケージ容器１５は、イチゴ等の生鮮果実を収納するためのもので、収納部１６の開口部の周囲にフランジ１７を有する。パッケージ容器１５は、仕切パネル５と保持パネル６とにより区画された部分に収納された状態でそのフランジ１７の一部、すなわちフランジの側部側が前述した仕切パネル６の上辺部、とパック支持パネル１１、１１の上辺部にそれぞれ載せられ、支持される。さらにこの状態では、図２と図４に示すように、補助パネル２１、２１の下辺が箱体の底パネル１の上面に当接する。これにより、パック支持パネル１１、１１の中間部が撓まないように補助パネル２１、２１により支持される。
【００４０】
箱体を組み立てた状態で仕切パネル６の上辺部とパック支持パネル１１、１１の上辺部の高さはほぼ等しくなる。そしてそれら上辺部の底パネル１の内面からの高さは、パッケージ容器１５の収納部１６の底面からフランジ１７の高さより高くなっている。このため図４に示す通り、仕切パネル５と保持パネル６とにより区画された部分に収納されたパッケージ容器１５は、その底面が箱体の底パネル１には接触しない。これにより、箱体の底パネル１を介してパッケージ容器１５の底面に加わる外力を殆ど無くすことが出来る。パッケージ容器１５の中に収納した生鮮果実等の収納物の傷みや破損を防止することが出来る。
【００４１】
さらに図３に示すように、連結フラップ１０、１０の先端側の差込フラップ１３、１３を、その基部の折線で箱体の内側に折り曲げ、続いて連結フラップ１０、１０を、その基部の折線で箱体の内側に折り曲げ、差込フラップ１３、１３をスリット１４、１４に挿入する。差込フラップ１３、１３をスリット１４、１４に挿入した後は、差込フラップ１３、１３の基部の顎状の突起がスリット１４、１４の端部に掛かり、差込フラップ１３、１３がスリット１４、１４から抜け難くなる。スリット１４、１４の位置は、差込フラップ１３、１３がこのようにして挿入出来る位置に形成されている。
【００４２】
このようにして、図３に示した完成図のように、箱体の組み立てとパッケージ容器１５の収納が完了する。
連結フラップ１０、１０は、箱体の四隅に平坦な部分を形成し、パッケージ容器１５の抜け出し等を防止すると共に、複数の箱体を上下に重ねた時に、上の箱体を支持する機能を有する。また、前記側外パネル２、２と側内パネル８、８の上縁部分の前記補助フラップ２１、２１が切り出された部分が上に開いた切欠き状の通気窓２０、２０となって開くので、パッケージ容器１５の中に収納した生鮮果実を予冷する時に、箱体の外側から内側に冷気を流入させることが出来る。
【実施例２】
【００４３】
図５〜図８は、本発明によるトレイ形包装用箱の他の実施例を示す図である。図５がトレイ形包装用箱のブランクの展開図であり、図６が箱体の組立途中の状態、図７が箱体の組立が完了した状態の図、図８がその要部の縦断拡大断面図である。
この実施例は、基本的に図１〜図４により前述した実施例と共通しており、同じ部分は同じ符号で示している。図５に示したブランクの展開図における実線、破線、二点鎖線の意味も図１に示したブランクと同様である。
【００４４】
この実施例によるトレイ形包装用箱が図１〜図４により前述した実施例のトレイ形包装用箱と相違する点の一つは、連結フラップ１０、１０が端外パネル３、３側ではなく、側外パネル２の両側から延設されている点である。
相違する点の二つは、端内パネル４、４が無く、箱体の端壁を形成するパネルが端外パネル３、３のみである点である。その代わり、側外パネル２、２と側内パネル８、８のそれぞれ両側から延設された第一の端フラップ９、９と第二の端フラップ２２、２２とで箱体の端壁を補強する構造になっている。すなわち、第一の端フラップ９、９と第二の端フラップ２２、２２とが平行な２本の折線を介して一連に連結され、箱体の組み立て時に図６に示すように、これら第一の端フラップ９、９と第二の端フラップ２２、２２が前記２本の折線で曲げられて、それぞれ前記端外パネル３の外側と内側に当てられる。連結フラップ１０、１０の先端側の差込フラップ１３、１３を差し込むためのスリット１４、１４は、第一の端フラップ９、９と第二の端フラップ２２、２２との間の２本の折線の部分に設けられている。
【００４５】
さらに他に細かい相違点はあるが、基本的には図１〜４により前述した前記の実施例によるトレイ形包装用箱と同じである。例えば、パック支持パネル１１、１１が箱体の側面のほぼ全長、すなわち側内パネル８、８の全長にわたって設けられている。図６に示すように箱体を組み立てるとき、このパック支持パネル１１、１１の両端が、前記第二の端フラップ２２、２２から連結フラップ１０、１０の先端側の差込フラップ１３、１３を切り出した切欠き部に係合される。また、そのパック支持パネル１１、１１の中央部を支持する補助パネル２１、２１も、形状が多角形であることが違う程度で、その構造や機能は基本的に図１〜４により前述した前記の実施例によるトレイ形包装用箱の補助パネル２１、２１と同じである。
【００４６】
箱体及びその仕切を組み立てる手順もまた、図１〜図４により前述した実施例のトレイ形包装用箱と基本的に同様である。前述したように、第一の端フラップ９、９と第二の端フラップ２２、２２がその間の２本の折線で曲げられてそれぞれ前記端外パネル３の外側と内側に当てられる点が若干異なっている。連結フラップ１０、１０とスリット１４、１４の位置が図１〜図４により前述した実施例のトレイ形包装用箱と相違しているが、箱体の中にパッケージ容器１５を収納した後、連結フラップ１０、１０の先端の差込フラップ１３、１３をスリット１４、１４に挿入することは基本的に同じである。
【００４７】
なお、以上の各実施例の説明において、箱体の側面と端面は、箱体の上面と底面を除く４面を対向する２組ずつの面に区分して説明するためのもので、箱体の絶対的な位置関係を意味するものではない。それ故例えば、「側外パネル２、２」を「端外パネル２、２」と言い換え、「端外パネル３、３」を「側外パネル３、３」と言い換えることもできることはもちろんである。
【図面の簡単な説明】
【００４８】
【図１】本発明の一実施例によるトレイ形包装用箱を組み立てる前のブランクを一部切り欠いて示した平面図である。
【図２】同実施例によるトレイ形包装用箱を組み立てる途中の状態を示す斜視図である。
【図３】同実施例によるトレイ形包装用箱の組み立てが完了した状態を示す斜視図である。
【図４】同実施例によるトレイ形包装用箱の組み立てが完了した状態の要部の縦断拡大断面図である。
【図５】本発明の他の実施例によるトレイ形包装用箱を組み立てる前のブランクを一部切り欠いて示した平面図である。
【図６】同実施例によるトレイ形包装用箱を組み立てる途中の状態を示す斜視図である。
【図７】同実施例によるトレイ形包装用箱の組み立てが完了した状態を示す斜視図である。
【図８】同実施例によるトレイ形包装用箱の組み立てが完了した状態の要部の縦断拡大断面図である。
【符号の説明】
【００４９】
１    底パネル
２    側外パネル
３    端外パネル
４    端内パネル
８    側内パネル
１１  パック支持パネル
１５  パッケージ容器
２１  補助フラップ２１
【図１】
2005298027.tif 000003
【図２】
2005298027.tif 000004
【図３】
2005298027.tif 000005
【図４】
2005298027.tif 000006
【図５】
2005298027.tif 000007
【図６】
2005298027.tif 000008
【図７】
2005298027.tif 000009
【図８】
2005298027.tif 000010